(57)【要約】【課題】簡易な構造で不正開封を抑制することができる容器を提供することにある。【解決手段】本体２の第１開口部２１の開口縁部２２には、嵌合状態の蓋部３と本体２とを相対回転させるときに第２切欠き部３５の端部と当接し、相対回転を規制して第１開口部２１の開放を阻止する阻止部２４が設けられている。蓋部３と本体２とが嵌合状態のときは、本体２の第１開口部２１を開放するために蓋部３と本体２とを相対回転させようとしても、環状突起部３３に設けられた第２切欠き部３５の端部と開口縁部２２に設けられた阻止部２４とが当接して上記相対回転が規制されるので、本体２の第１開口部２１の開放を阻止することができる。よって、蓋部３と本体２との間をテープで封止する必要が無く、コストを抑えることができる。【選択図】図１
2011178451.tif 000002
【特許請求の範囲】
【請求項１】
第１開口部を有する本体と、
該本体と嵌合して前記第１開口部を閉塞可能な第２開口部を有する蓋部と、
前記第１開口部及び前記第２開口部の一方の開口縁部に外側に凸となるように設けられた環状突起部と、
該環状突起部に所定間隔で設けられた複数の第１切欠き部と、
前記第１開口部及び前記第２開口部の他方の開口縁部に内側に凸となるように、且つ前記第１切欠き部と同一数で同一配置で若干小形状に設けられた突出部と、
前記環状突起部に設けられた第２切欠き部と、
前記第１開口部及び前記第２開口部の他方の開口縁部に設けられ、嵌合状態の前記蓋部と前記本体とを相対回転させるときに前記第２切欠き部の端部と当接し、前記相対回転を規制して前記第１開口部の開放を阻止する阻止部と、を備え、
前記蓋部と前記本体とを密封する際は、前記第２切欠き部内に前記阻止部が位置するように前記第１開口部に前記第２開口部を合わせ、前記環状突起部が前記突出部を乗り越えて該突出部の内側に位置するように、前記環状突起部で前記突出部を押圧し撓ませた後に復元させることにより、前記環状突起部と前記突出部とを係合させ、
一方、前記蓋部と前記本体とを開封する際は、前記阻止部を外側に引き倒して前記蓋部と前記本体とを相対回転させ、前記突出部を前記第１切欠き部に位置合わせして抜き出すことを特徴とする容器。
【請求項２】
前記環状突起部よりも内側に設けられ、前記蓋部と前記本体とが嵌合状態のときに前記突出部を前記環状突起部に押圧する押圧部を備えていることを特徴とする請求項１に記載の容器。
【請求項３】
前記環状突起部よりも内側に設けられ、前記阻止部を引き剥がして前記蓋部と前記本体とを相対回転させるとき、一方向のみの相対回転を許容し他方向の相対回転を規制する規制部を備えていることを特徴とする請求項１又は２に記載の容器。
【請求項４】
前記蓋部に前記阻止部を設けた場合、該阻止部を引き倒して引張り上げることにより前記蓋部を開封する開封部を備えていることを特徴とする請求項１から３の何れか一項に記載の容器。
【発明の詳細な説明】
【技術分野】
【０００１】
本発明は、第１開口部を有する本体と、第１開口部を閉塞可能な第２開口部を有する蓋部とを備えた容器に関する。
【背景技術】
【０００２】
例えば、特許文献１には、コーンカップ等を収納し得る逆円錐状容器と、該逆円錐状容器に被蓋し得る帽体状キャップとよりなるアイスクリーム収納用の容器が開示されている。逆円錐状容器の上縁には鍔が設けられ、該鍔には所定間隔で複数の突起が突設されている。帽体状キャップの下端開口部には上記鍔が嵌入し得る膨出部が形成され、該膨出部の下部から中央部の内周面に亘って鍔をガイドし得る複数のネジ山が突設されている。さらに、膨出部の上部内周面には突起を嵌入して回動し得る嵌着リング溝が設けられ、膨出部の中央部内周面のネジ山間には突起の抜け出しを防止し得る突出部が設けられている。
【０００３】
このような構成の容器において、逆円錐状容器に帽体状キャップを被蓋する場合には、逆円錐状容器の鍔を帽体状キャップの膨出部の下部内に挿入し、逆円錐状容器或いは帽体状キャップを回動する。すると、突起がネジ山によってガイドされて嵌着リング溝内に挿入されるので、帽体状キャップは逆円錐状容器に完全に被蓋される。そして、複数の突起の内の１個或いは２個は、突出部の上縁に当接されるので、その状態で逆円錐状容器を下方向に引下げても、帽体状キャップが逆円錐状容器より抜け落ちることがない。
【０００４】
一方、逆円錐状容器から帽体状キャップを除去する場合には、帽体状キャップと逆円錐状容器とを夫々手で持って、逆円錐状容器を下方に引きながら帽体状キャップを逆円錐状容器に被蓋した場合と逆の方向に回転させる。これにより、突起をネジ山に沿って下降せしめ、帽体状キャップを逆円錐状容器より抜き取ることができる。
【先行技術文献】
【特許文献】
【０００５】
【特許文献１】特開平０９−１９３９９０号公報
【発明の概要】
【発明が解決しようとする課題】
【０００６】
上述した従来の容器は、アイスクリームが収納され、逆円錐状容器と帽体状キャップとの間がプラスチック製のテープにより封止された状態で売場に並べられる。これにより、容器を開封するにはテープを破らなければならないので、容器が不正開封された場合には視認することができ不正開封抑制の効果がある。しかし、従来の容器は、封止用のテープが別途必要であり、さらにテープで封止する手間が掛かるため、コスト高となっている。
【０００７】
本発明は、上記のような課題に鑑みなされたものであり、その目的は、簡易な構造で不正開封を抑制することができる容器を提供することにある。
【課題を解決するための手段】
【０００８】
上記目的達成のため、本発明の容器では、第１開口部を有する本体と、該本体と嵌合して前記第１開口部を閉塞可能な第２開口部を有する蓋部と、前記第１開口部及び前記第２開口部の一方の開口縁部に外側に凸となるように設けられた環状突起部と、該環状突起部に所定間隔で設けられた複数の第１切欠き部と、前記第１開口部及び前記第２開口部の他方の開口縁部に内側に凸となるように、且つ前記第１切欠き部と同一数で同一配置で若干小形状に設けられた突出部と、前記環状突起部に設けられた第２切欠き部と、前記第１開口部及び前記第２開口部の他方の開口縁部に設けられ、嵌合状態の前記蓋部と前記本体とを相対回転させるときに前記第２切欠き部の端部と当接し、前記相対回転を規制して前記第１開口部の開放を阻止する阻止部と、を備え、前記蓋部と前記本体とを密封する際は、前記第２切欠き部内に前記阻止部が位置するように前記第１開口部に前記第２開口部を合わせ、前記環状突起部が前記突出部を乗り越えて該突出部の内側に位置するように、前記環状突起部で前記突出部を押圧し撓ませた後に復元させることにより、前記環状突起部と前記突出部とを係合させ、一方、前記蓋部と前記本体とを開封する際は、前記阻止部を外側に引き倒して前記蓋部と前記本体とを相対回転させ、前記突出部を前記第１切欠き部に位置合わせして抜き出すことを特徴としている。
【０００９】
このような構成によれば、蓋部と本体とが嵌合状態のときは、本体の第１開口部を開放するために蓋部と本体とを相対回転させようとしても、環状突起部に設けられた第２切欠き部の端部と開口縁部に設けられた阻止部とが当接して上記相対回転が規制されるので、本体の第１開口部の開放を阻止することができ、一方、阻止部を外側に引き倒すことにより上記相対回転が許容されるので、本体の第１開口部を容易に開放することができる。
【００１０】
また、前記環状突起部よりも内側に設けられ、前記蓋部と前記本体とが嵌合状態のときに前記突出部を前記環状突起部に押圧する押圧部を備えていることを特徴としている。
【００１１】
このような構成によれば、押圧部により突出部と環状突起部とが密接することになるので、嵌合状態の蓋部と本体とのガタを防止することができる。
【００１２】
また、前記環状突起部よりも内側に設けられ、前記阻止部を引き剥がして前記蓋部と前記本体とを相対回転させるとき、一方向のみの相対回転を許容し他方向の相対回転を規制する規制部を備えていることを特徴としている。
【００１３】
このような構成によれば、蓋部と本体との過剰な相対回転を防止することができ、複数の突出部と複数の第１切欠き部とを確実に位置合わせすることができるので、本体の第１開口部をさらに容易に開放することができる。
【００１４】
また、前記環状突起部よりも内側に設けられ、前記第１開口部と前記第２開口部との隙間を封止する壁部を備えていることを特徴としている。
【００１５】
このような構成によれば、壁部により第１開口部と第２開口部との隙間が封止されているので、外部から容器内への異物の侵入を防止することができる。
【００１６】
また、前記蓋部に前記阻止部を設けた場合、該阻止部を引き倒して引張り上げることにより前記蓋部を開封する開封部を備えていることを特徴としている。
【００１７】
このような構成によれば、蓋部の一部を開封部に沿って帯状に引き裂くことができるので、蓋部と収容物とくっついている場合でも、蓋部のみを収容物から容易に引き剥がすことができる。
【図面の簡単な説明】
【００１８】
【図１】本発明の実施の形態に係る容器を開封したときの側面図及び要部の拡大斜視図である。
【図２】本発明の実施の形態に係る容器を密封したときの斜視図及び要部の拡大断面斜視図である。
【図３】図１の容器の開封手順を示す斜視図である。
【図４】（Ａ）、（Ｂ）は、図１の容器を密封したとき及び開封したときの平面図である。
【図５】図１の容器の密封部分の第１の要部の側面図及び断面図である。
【図６】図１の容器の密封部分の第２の要部の側面図及び断面図である。
【図７】本発明の別の実施の形態に係る容器を開封したときの側面図及び要部の拡大斜視図である。
【図８】本発明の別の実施の形態に係る容器を密封したときの斜視図及び要部の拡大断面斜視図である。
【図９】図７の容器の開封手順を示す斜視図である。
【図１０】（Ａ）、（Ｂ）は、図７の容器を密封したとき及び開封したときの平面図である。
【図１１】図７の容器の密封部分の第１の要部の側面図及び断面図である。
【図１２】図７の容器の密封部分の第２の要部の側面図及び断面図である。
【図１３】図７の容器の蓋部の要部の側面図である。
【発明を実施するための形態】
【００１９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００２０】
図１に示すように、本発明の実施の形態に係る容器１は、第１開口部２１を有する円錐状の本体２と、該本体２と嵌合して第１開口部２１を閉塞可能な第２開口部３１を有する円錐状の蓋部３とを備え、本体２内にコーンカップを収納し、コーンカップに盛られたアイスクリームに蓋部３を被せ、本体２と蓋部３とを嵌合することによりカップアイスを密封収納する容器である。
【００２１】
図１に示すように、蓋部３の第２開口部３１の開口縁部３２には、外側に凸となるように環状突起部３３が設けられている。そして、環状突起部３３には、所定間隔（本例では１２０度間隔）で複数（本例では３つ）の第１切欠き部３４が設けられている。さらに、環状突起部３３には、２つの第１切欠き部３４の間に第２切欠き部３５が設けられている。
【００２２】
図１に示すように、本体２の第１開口部２１の開口縁部２２には、内側に凸となるように、且つ第１切欠き部３４と同一数で同一配置で若干小形状の突出部２３が設けられている。さらに、開口縁部２２には、嵌合状態の蓋部３と本体２とを相対回転させるときに第２切欠き部３５の端部と当接し、相対回転を規制して第１開口部２１の開放を阻止する阻止部２４が設けられている。
【００２３】
このような構成において、カップアイスを収納した本体２を蓋部３で密封する際は、第２切欠き部３５内に阻止部２４が位置するように第１開口部２１に第２開口部３１を合わせ、環状突起部３３が突出部２３を乗り越えて該突出部２３の内側に位置するように、環状突起部３３で突出部２３を押圧し撓ませた後に復元させる。これにより、図２に示すように、環状突起部３３と突出部２３とを係合させて蓋部３と本体２とを嵌合させることができる。
【００２４】
そして、蓋部３と本体２とが嵌合状態のときは、本体２の第１開口部２１を開放するために蓋部３と本体２とを相対回転させようとしても、環状突起部３３に設けられた第２切欠き部３５の端部と開口縁部２２に設けられた阻止部２４とが当接して上記相対回転が規制されるので、本体２の第１開口部２１の開放を阻止することができる。よって、蓋部３と本体２との間をテープで封止する必要が無く、コストを抑えることができる。
【００２５】
一方、カップアイスを密封収納した容器１を開封する際は、図３に示すように、阻止部２４の上端に指を掛けて外側に引き倒す。これにより、蓋部３と本体２との相対回転が許容されるので、蓋部３と本体２とを相対回転させて突出部２３を第１切欠き部３４に位置合わせして抜き出す。これにより、本体２から蓋部３を離脱させて本体２の第１開口部２１を開放することができる。
【００２６】
さらに、図１に示すように、蓋部３には、阻止部２４を外側に引き倒して蓋部３と本体２とを相対回転させるとき、一方向のみの相対回転を許容し他方向の相対回転を規制する一対の規制部３６が環状突起部３３よりも内側に設けられている。一方の規制部３６は、第１切欠き部３４の左端部に形成され、他方の規制部３６は、第１切欠き部３４の右端部から後述する距離離間した位置に形成されている。これにより、蓋部３と本体２との過剰な相対回転を防止することができ、複数の突出部２３と複数の第１切欠き部３４とを確実に位置合わせすることができるので、本体２の第１開口部２１をさらに容易に開放することができる。
【００２７】
ここで、図４を参照して、阻止部２４、第２切欠き部３５、突出部２３、第１切欠き部３４及び規制部３６の形成位置について説明する。図４（Ａ）に示すように、蓋部３と本体２とを嵌合させた状態での阻止部２４及び第２切欠き部３５は、阻止部２４の右端と第２切欠き部３５の右端との間は距離ｘの間隙があり、阻止部２４の左端と第２切欠き部３５の左端との間は距離ａの間隙があるように形成されている。このように、第２切欠き部３５の幅を阻止部２４の幅よりもｘ＋ａだけ長くして遊びを設けているので、蓋部３と本体２との嵌合を容易に行うことができる。
【００２８】
さらに、図４（Ａ）に示すように、蓋部３と本体２とを嵌合させた状態での突出部２３及び規制部３６は、突出部２３の右端と右側の規制部３６との間は上記距離ｘの間隙があるように形成されている。このように、突出部２３の右端と右側の規制部３６との間隙と、阻止部２４の右端と第２切欠き部３５の右端との間隙とを同一距離ｘとすることにより、蓋部３と本体２とを嵌合する際に阻止部２４の右端と第２切欠き部３５の右端との間に隙間が無い状態であっても、突出部２３を一対の規制部３６間に確実に配置することができる。
【００２９】
また、図４（Ａ）に示すように、蓋部３と本体２とを嵌合させた状態での突出部２３及び第１切欠き部３４は、突出部２３の左端と第１切欠き部３４の右端との間の距離をｂとしたとき、この距離ｂは上記距離ａよりも大きくなるように形成されている。このように、突出部２３の左端と第１切欠き部３４の右端との間の距離ｂを、阻止部２４の左端と第２切欠き部３５の左端との間の距離ａよりも大きくすることにより、仮に阻止部２４を引き倒さない状態で蓋部３と本体２とを相対回転させようとしても、突出部２３を第１切欠き部３４内に位置させることができない。よって、本体２から蓋部３を離脱させることはできないので、不正開封を抑制することができる。
【００３０】
図１に示すように、本体２には、蓋部３と本体２とが嵌合状態のときに突出部２３を環状突起部３３に押圧するバネ性を有する押圧部２５が環状突起部３３よりも内側に設けられている。これにより、図５に示すように、突出部２３と環状突起部３３とが密接することになるので、嵌合状態の蓋部３と本体２とのガタを防止することができる。
【００３１】
さらに、図１に示すように、本体２には、第１開口部２１と第２開口部３１との隙間を封止する壁部２６が環状突起部３３よりも内側に設けられている。これにより、図５及び図６に示すように、第１開口部２１と第２開口部３１との隙間が封止されているので、外部から容器１内への異物の侵入を防止することができる。
【００３２】
図７に示すように、本発明の別の実施の形態に係る容器１１は、第１開口部４１を有する円錐台状の本体１２と、該本体１２と嵌合して第１開口部４１を閉塞可能な第２開口部５１を有する円錐状の蓋部１３とを備え、本体１２内にコーンカップを収納し、コーンカップに盛られたアイスクリームに蓋部１３を被せ、本体１２と蓋部１３とを嵌合することによりカップアイスを密封収納する容器である。
【００３３】
図７に示すように、本体１２の第１開口部４１の開口縁部４２には、外側に凸となるように環状突起部４３が設けられている。そして、環状突起部４３には、所定間隔（本例では１２０度間隔）で複数（本例では３つ）の第１切欠き部４４が設けられている。さらに、環状突起部４３には、２つの第１切欠き部４４の間に第２切欠き部４５が設けられている。
【００３４】
図７に示すように、蓋部１３の第２開口部５１の開口縁部５２には、内側に凸となるように、且つ第１切欠き部４４と同一数で同一配置で若干小形状の突出部５３が設けられている。さらに、開口縁部５２には、嵌合状態の蓋部１３と本体１２とを相対回転させるときに第２切欠き部４５の端部と当接し、相対回転を規制して第１開口部４１の開放を阻止する阻止部５４が設けられている。
【００３５】
このような構成において、カップアイスを収納した本体１２を蓋部１３で密封する際は、第２切欠き部４５内に阻止部５４が位置するように第１開口部４１に第２開口部５１を合わせ、環状突起部４３が突出部５３を乗り越えて該突出部５３の内側に位置するように、環状突起部４３で突出部５３を押圧し撓ませた後に復元させる。これにより、図８に示すように、環状突起部４３と突出部５３とを係合させて蓋部１３と本体１２とを嵌合させることができる。
【００３６】
そして、蓋部１３と本体１２とが嵌合状態のときは、本体１２の第１開口部４１を開放するために蓋部１３と本体１２とを相対回転させようとしても、環状突起部４３に設けられた第２切欠き部４５の端部と開口縁部５２に設けられた阻止部５４とが当接して上記相対回転が規制されるので、本体１２の第１開口部４１の開放を阻止することができる。よって、蓋部１３と本体１２との間をテープで封止する必要が無く、コストを抑えることができる。
【００３７】
一方、カップアイスを密封収納した容器１１を開封する際は、図９に示すように、阻止部５４の下端に指を掛けて外側に引き上げる（引き倒す）。これにより、蓋部１３と本体１２との相対回転が許容されるので、蓋部１３と本体１２とを相対回転させて突出部５３を第１切欠き部４４に位置合わせして抜き出す。これにより、本体１２から蓋部１３を離脱させて本体１２の第１開口部４１を開放することができる。
【００３８】
さらに、図７に示すように、本体１２には、阻止部５４を外側に引き倒して蓋部１３と本体１２とを相対回転させるとき、一方向のみの相対回転を許容し他方向の相対回転を規制する一対の規制部４６が環状突起部４３よりも内側に設けられている。一方の規制部４６は、第１切欠き部４４の左端部に形成され、他方の規制部４６は、第１切欠き部４４の右端部から後述する距離離間した位置に形成されている。これにより、蓋部１３と本体１２との過剰な相対回転を防止することができ、複数の突出部５３と複数の第１切欠き部４４とを確実に位置合わせすることができるので、本体１２の第１開口部４１をさらに容易に開放することができる。
【００３９】
ここで、図１０を参照して、阻止部５４、第２切欠き部４５、突出部５３、第１切欠き部４４及び規制部４６の形成位置について説明する。図１０（Ａ）に示すように、蓋部１３と本体１２とを嵌合させた状態での阻止部５４及び第２切欠き部４５は、阻止部５４の右端と第２切欠き部４５の右端との間は距離ｘの間隙があり、阻止部５４の左端と第２切欠き部４５の左端との間は距離ａの間隙があるように形成されている。このように、第２切欠き部４５の幅を阻止部５４の幅よりもｘ＋ａだけ長くして遊びを設けているので、蓋部１３と本体１２との嵌合を容易に行うことができる。
【００４０】
さらに、図１０（Ａ）に示すように、蓋部１３と本体１２とを嵌合させた状態での突出部５３及び規制部４６は、突出部５３の右端と右側の規制部４６との間は上記距離ｘの間隙があるように形成されている。このように、突出部５３の右端と右側の規制部４６との間隙と、阻止部５４の右端と第２切欠き部４５の右端との間隙とを同一距離ｘとすることにより、蓋部１３と本体１２とを嵌合する際に阻止部５４の右端と第２切欠き部４５の右端との間に隙間が無い状態であっても、突出部５３を一対の規制部４６間に確実に配置することができる。
【００４１】
また、図１０（Ａ）に示すように、蓋部１３と本体１２とを嵌合させた状態での突出部５３及び第１切欠き部４４は、突出部５３の左端と第１切欠き部４４の右端との間の距離をｂとしたとき、この距離ｂは上記距離ａよりも大きくなるように形成されている。このように、突出部５３の左端と第１切欠き部４４の右端との間の距離ｂを、阻止部５４の左端と第２切欠き部４５の左端との間の距離ａよりも大きくすることにより、仮に阻止部５４を引き倒さない状態で蓋部１３と本体１２とを相対回転させようとしても、突出部５３を第１切欠き部４４内に位置させることができない。よって、本体１２から蓋部１３を離脱させることはできないので、不正開封を抑制することができる。
【００４２】
図７に示すように、蓋部１３には、蓋部１３と本体１２とが嵌合状態のときに突出部５３を環状突起部４３に押圧するバネ性を有する押圧部５５が環状突起部４３よりも内側に設けられている。これにより、図１１に示すように、突出部５３と環状突起部４３とが密接することになるので、嵌合状態の蓋部１３と本体１２とのガタを防止することができる。
【００４３】
さらに、図８に示すように、本体１２には、第１開口部４１と第２開口部５１との隙間を封止する壁部４７が環状突起部４３よりも内側に設けられている。これにより、図１１及び図１２に示すように、第１開口部４１と第２開口部５１との隙間が封止されているので、外部から容器１１内への異物の侵入を防止することができる。
【００４４】
また、この容器１１においては、アイスクリームを収容したとき、蓋部１３とアイスクリームとくっついている場合があり、その場合は蓋部１３を取るときアイスクリームが蓋部１３と一緒に取れてしまうおそれがある。そこで、図１３に示すように、蓋部１３の内側に溝状の開封部５６を阻止部５４の両側上部から上方へ向かうように形成しておく。これにより、阻止部５４の下端に指を掛けて外側に引き倒し、続いて阻止部５４を持って上方へ引張り上げることにより、蓋部１３の一部を開封部５６に沿って帯状に引き裂くことができる。よって、蓋部１３とアイスクリームとくっついている場合でも、蓋部１３のみをアイスクリームから容易に引き剥がすことができる。なお、図１３には開封部５６を１箇所設けたが、２箇所以上設けるようにしてもよい。
【００４５】
尚、上述した各実施形態では、規制部３６、４６を設けて蓋部３、１３と本体２、１２との過剰な相対回転を防止するようにしたが、規制部３６、４６の代わりに開口縁部３３、４３の頂部の高さが一つの第１切欠き部３４、４４の端部から別の第１切欠き部３４、４４の端部に向かって徐々（直線状あるいは段階的）に高くなるように形成し、蓋部３、１３と本体２、１２とを相対回転させたときに開口縁部３３、４３と摺接して過剰な相対回転を防止するようにしてもよい。
【００４６】
また、第１切欠き部３４、４４及び突出部２３、５３を１２０度間隔で３つ設けた構成としたが、第１切欠き部３４、４４及び突出部２３、５３を等角度間隔で任意数設けた構成としても良い。また、容器１、１１に収納されるものとしてはカップアイスに限定されるものではなく、他の食品であっても良い。よって、本体２、１２に第１開口部２１、４１と第２開口部３１、５１との隙間を封止する壁部２６、４７を設けた構成としたが、封止する必要性の無い食品を収納する容器の場合は壁部２６、４７を設けない構成としても良い。
【符号の説明】
【００４７】
１、１１  容器、２、１２  本体、３、１３  蓋体、２１、４１  第１開口部、２２、５２  開口縁部、２３、５３  突出部、２４、５４  阻止部、２５、５５  押圧部、２６、４７  壁部、３１、５１  第２開口部、３２、４２  開口縁部、３３、４３  環状突起部、３４、４４  第１切欠き部、３５、４５  第２切欠き部、３６、４６  規制部、５６  開封部
【図１】
2011178451.tif 000003
【図２】
2011178451.tif 000004
【図３】
2011178451.tif 000005
【図４】
2011178451.tif 000006
【図５】
2011178451.tif 000007
【図６】
2011178451.tif 000008
【図７】
2011178451.tif 000009
【図８】
2011178451.tif 000010
【図９】
2011178451.tif 000011
【図１０】
2011178451.tif 000012
【図１１】
2011178451.tif 000013
【図１２】
2011178451.tif 000014
【図１３】
2011178451.tif 000015